(57)【特許請求の範囲】
【請求項１】
盤面部品が同一または共通でスペックが異なる複数種類の機体が存在する遊技機であって、
前記遊技機のスペックの少なくとも一部を示すスペック指示情報と、前記遊技機のスペックを識別するために利用されるスペック識別情報とが示されたスペック指示部材が取り付けられる指示部材取付部と、
前記スペック指示部材に示されている前記スペック識別情報と対応させて視認することで、前記スペック指示部材に示されている前記スペック指示情報が当該遊技機のスペックを示すものであるか否かを判別することができる情報であるスペック判別情報を示す判別情報指示部と
を備え、
前記スペック識別情報は、前記スペック指示部材に示された前記スペック指示情報に応じて異なる前記スペック指示部材の形状であり、
前記スペック識別情報は、前記スペック指示部材に示された前記スペック指示情報に応じて異なるように形成された、前記スペック指示部材の予め設定されたスペック識別方向に沿った長さであり、
前記スペック判別情報は、前記スペック指示部材が前記指示部材取付部に取り付けられた状態において、前記スペック識別方向についての前記スペック指示部材の端部を指し示すものである
ことを特徴とする遊技機。
【請求項２】
盤面部品が同一または共通でスペックが異なる複数種類の機体が存在する遊技機であって、
前記遊技機のスペックの少なくとも一部を示すスペック指示情報と、前記遊技機のスペックを識別するために利用されるスペック識別情報とが示されたスペック指示部材が取り付けられる指示部材取付部と、
前記スペック指示部材に示されている前記スペック識別情報と対応させて視認することで、前記スペック指示部材に示されている前記スペック指示情報が当該遊技機のスペックを示すものであるか否かを判別することができる情報であるスペック判別情報を示す判別情報指示部と
を備え、
前記スペック識別情報は、前記スペック指示部材に示された前記スペック指示情報に応じて異なる前記スペック指示部材の形状であり、
前記判別情報指示部は、
当該遊技機の遊技盤面上において、当該遊技機から発射された遊技球を前記遊技盤に案内するために互いに対向するように設置された２つのレールの間に設置され、
前記指示部材取付部は、
前記判別情報指示部を覆うように設置されるとともに、当該遊技機の表側から前記遊技盤面の一部を視認可能な窓部が設けられ、
前記窓部は、前記判別情報指示部と対向するように配置される
ことを特徴とする遊技機。
【発明の詳細な説明】
【技術分野】
【０００１】
本発明は、遊技媒体を用いて遊技者に遊技を提供する遊技機に関する。
【背景技術】
【０００２】
遊技機の開発では一般的に、盤面部品が同一または共通で大当り確率や賞球数などのスペックを異ならせることにより、同一の機種で複数種類の機体を製造する。
このため遊技者は、盤面部品を見ただけでは、遊技している遊技機のスペックを容易に判別することができない。そこで、遊技機のスペックを遊技者に容易に判別させることができるように、型式名、大当り確率、確率変動の割合、リミッタ回数、及び賞球数などを示すスペック指示情報が遊技機に表示されている。
【０００３】
ところで、例えば「８＆１２」、「７＆１０＆１５」及び「５＆１０＆１５」などのような賞球数を表す賞球数指示情報が印刷された賞球数印刷シールを遊技機の製造過程で遊技盤に貼付する際に賞球数指示情報と機種名との組合せ間違いの発生を阻止するために、遊技盤の製造過程で賞球数指示情報を遊技盤上に予め印刷する技術が知られている（例えば特許文献１を参照）。
【特許文献１】特開平８−１４１１５５号公報
【発明の開示】
【発明が解決しようとする課題】
【０００４】
しかし、特許文献１に記載の技術では、遊技機のスペックを示すスペック指示情報が印刷されたスペック印刷シールを遊技機に貼付する場合に、遊技盤上に印刷されたスペック指示情報と、スペック印刷シールに印刷されたスペック指示情報とを照合する必要がある。このため、スペック指示情報の数が多くなるほど照合に時間がかかるという問題があった。
【０００５】
本発明は、こうした問題に鑑みなされたものであり、スペック指示情報の数が多くなった場合であっても、スペック印刷シールを遊技機に貼付する際におけるスペックの照合を容易に行うことができる技術を提供することを目的とする。
【課題を解決するための手段】
【０００６】
上記目的を達成するためになされた請求項１，２に記載の発明は、盤面部品が同一または共通でスペックが異なる複数種類の機体が存在する遊技機であって、遊技機のスペックの少なくとも一部を示すスペック指示情報と、遊技機のスペックを識別するために利用されるスペック識別情報とが示されたスペック指示部材が取り付けられる指示部材取付部と、スペック指示部材に示されているスペック識別情報と対応させて視認することで、スペック指示部材に示されているスペック指示情報が当該遊技機のスペックを示すものであるか否かを判別することができる情報であるスペック判別情報を示す判別情報指示部とを備えることを特徴とする遊技機である。
【０００７】
なおスペックとは、遊技機の性能を示すものであり、例えば、遊技機の大当り確率、確率変動の割合、リミッタ回数、及び賞球数などをいう。
このように構成された遊技機では、スペック指示部材を指示部材取付部に取り付けるときに、スペック指示部材に示されているスペック識別情報と、判別情報指示部に示されているスペック判別情報とを対応させて視認することで、スペック指示部材に示されているスペック指示情報が当該遊技機のスペックを示すものであるか否かの判別（以下、スペック一致判別ともいう）をすることができる。
【０００８】
つまり、スペック指示部材に示されているスペック指示情報を用いてスペック一致判別を行う必要がなくなる。したがって、スペック指示部材に示されているスペック指示情報の数が多くなった場合であっても、スペック一致判別を容易に行うことができる。これにより、スペック指示部材を遊技機に取り付ける際の間違いを抑制することができる。さらに、スペック識別情報とスペック判別情報のみを用いてスペック一致判別を行うことができるので、多くのスペック指示情報を用いて照合を行う場合と比較して、スペック一致判別に要する時間を短縮することができる。
【０００９】
また、スペック指示部材の取り付けで間違いが発生した場合であっても、スペック識別情報とスペック判別情報のみを用いてスペック一致判別を行うことができるので、スペック指示部材の取り付け間違いを発見し易くなる。
【００１０】
また、スペックに関する軽微な変更を行った場合には、スペック指示部材に示されたスペック指示情報を修正する必要があるがスペック識別情報を変更する必要がないので、スペック判別情報を変更する必要がない。つまり、スペック指示部材を変更するのみであり遊技機本体の変更は不要であるので、遊技機の開発コストを低減することができる。
【００１２】
また請求項１に記載の遊技機においては、スペック識別情報は、スペック指示部材に示されたスペック指示情報に応じて異なるように形成された、スペック指示部材の予め設定されたスペック識別方向に沿った長さであり、スペック判別情報は、スペック指示部材が指示部材取付部に取り付けられた状態において、スペック識別方向についてのスペック指示部材の端部を指し示すものである。
【００１３】
このように構成された遊技機によれば、スペック判別情報が、スペック識別方向についてのスペック指示部材の端部を指し示すか否かのみによってスペック一致判別を行うことができるので、スペック一致判別を容易にすることができる。
【００１７】
また請求項２に記載の遊技機においては、判別情報指示部は、当該遊技機の遊技盤面上において、当該遊技機から発射された遊技球を遊技盤に案内するために互いに対向するように設置された２つのレールの間に設置され、指示部材取付部は、判別情報指示部を覆うように設置されるとともに、当該遊技機の表側から遊技盤面の一部を視認可能な窓部が設けられ、窓部は、判別情報指示部と対向するように配置される。
【００１８】
このように構成された遊技機では、判別情報指示部が２つのレールと指示部材取付部とにより囲まれるので、指示部材取付部に設けられた窓部を通してスペック判別情報を視認しようとしない限り、遊技機の表側からスペック判別情報を視認し難くすることができる。これにより、スペック判別情報が示されていることにより遊技機のデザイン性が損なわれるのを抑制することができる。なお、指示部材取付部に設けられた窓部を通してスペック判別情報を確認することができるので、上記のように遊技機の表側からスペック判別情報を視認し難くなっても、スペック一致判別に支障をきたすことはない。
【発明を実施するための最良の形態】
【００１９】
（第１実施形態）
以下に本発明の第１実施形態について図面とともに説明する。
まず、本発明が適用された遊技機１の構成を図１に基づいて説明する。図１は遊技機１の正面図である。
【００２０】
遊技機１は、図１に示すように、当該遊技機１の筐体である外枠２と、開閉自在に外枠２に取り付けられた内枠３とを備えている。
そして内枠３には、遊技者に遊技を提供する略円形の遊技領域４ａが設けられた遊技盤４と、遊技領域４ａ上に遊技球を発射するためのハンドル５と、遊技領域４ａにおける遊技の結果として当該遊技機１から賞品として払い出される遊技球（賞品球）を貯留する上受け皿６と、上受け皿６から排出される遊技球を受ける下受け皿７とが設けられている。
【００２１】
ここで遊技盤４には、数字や模様を要素とした複数の特別図柄などの画像を表示する液晶表示ディスプレイ（ＬＣＤ）１１と、特別図柄の変動表示が保留されていることを遊技者に示す４つの特別図柄保留ランプ１２と、特別図柄の変動表示を開始させるために、遊技者が遊技球を投入する始動入賞口を備える始動入賞装置１３と、大当り遊技時に開放される大入賞口を備える可動入賞装置１４とが設けられている。
【００２２】
さらに遊技盤４には、発射された遊技球を遊技領域４ａに導くために遊技領域４ａの外周の一部に沿った発射通路ＳＰを形成する発射レール１５と、遊技機１のスペック（例えば、型式名、大当り確率、確率変動の割合、リミッタ回数、及び賞球数）を示すスペック指示情報が印刷されたスペック印刷シール６０が貼付されるシール貼付部１６と、スペック指示情報が遊技機１のスペックを示すものであるか否かを判別することができる情報７０（以下、スペック判別情報７０という）が記載された判別情報記載部１７（図３を参照）とが設けられている。
【００２３】
これらのうち発射レール１５は、発射された遊技球を案内する案内レール１５ａと、発射通路ＳＰと遊技領域４ａとを仕切る仕切りレール１５ｂとから構成される。そして、案内レール１５ａと仕切りレール１５ｂは互いに対向しており、案内レール１５ａと仕切りレール１５ｂは遊技盤４の表面から垂直に突出して設置されている。
【００２４】
またシール貼付部１６は、スペック印刷シール６０が貼付される面を有する板状部材であり、発射通路ＳＰに沿って発射通路ＳＰの一部を覆うように、案内レール１５ａと仕切りレール１５ｂの突出端縁に当接して設置される。なおシール貼付部１６は、案内レール１５ａと仕切りレール１５ｂから着脱可能に構成されている。
【００２５】
次にスペック印刷シール６０は、図２（ａ），（ｂ），（ｃ）に示すように、スペックとして型式名ｎ１、大当り確率ｎ２、賞球数ｎ３、リミッタ回数ｎ４、確率変動割合ｎ５が印刷されたシールであり、遊技機１のスペックに応じて複数種類（本実施形態では、スペック印刷シール６０ａ，６０ｂ，６０ｃの３種類）設けられている。なおスペック印刷シール６０ａ，６０ｂ，６０ｃは、スペック印刷シール６０に記載されているスペックのうちで型式名ｎ１及び賞球数ｎ３のみが異なる。なお以下、型式名ｎ１、大当り確率ｎ２、賞球数ｎ３、リミッタ回数ｎ４、確率変動割合ｎ５をまとめてスペック指示情報ｎｓという。
【００２６】
またスペック印刷シール６０ａ，６０ｂ，６０ｃは、スペック指示情報が印刷される印刷面が略円弧状に形成される。そしてスペック印刷シール６０ａ，６０ｂ，６０ｃは互いに、印刷面の円周方向ＣＤ（図２（ａ）を参照）に沿った長さが異なる。なお、スペック印刷シール６０ａ，６０ｂ，６０ｃの円周方向ＣＤに沿った長さをそれぞれＬａ，Ｌｂ，Ｌｃとすると、「Ｌａ＜Ｌｂ＜Ｌｃ」の大小関係が成り立つ。
【００２７】
さらに判別情報記載部１７は、図３に示すように、遊技領域４ａの表面における仕切りレール１５ｂの近傍に設けられる。そして、判別情報記載部１７に記載されるスペック判別情報７０は、遊技機１のスペックに対応したスペック印刷シール６０（６０ａ，６０ｂ，６０ｃ）における円周方向の両端部の位置を指し示す２つの矢印である。なお、図３においてスペック判別情報７０を囲う点線は、判別情報記載部１７を指し示すためのものであり、実際には遊技盤４に記載されていない。また図３は、スペック印刷シール６０ｂが貼付されている場合を示している。
【００２８】
したがって、スペック印刷シール６０ａ，６０ｂ，６０ｃに対応する遊技機１の判別情報記載部１７に記載される２つの矢印の間隔をそれぞれＷａ，Ｗｂ，Ｗｃとすると、「Ｗａ＜Ｗｂ＜Ｗｃ」の大小関係が成り立つ。
【００２９】
このように構成された遊技機１では、スペック印刷シール６０をシール貼付部１６に貼付するときに、スペック判別情報７０が、円周方向ＣＤについてのスペック印刷シール６０の端部を指し示すか否かのみによって、スペック印刷シール６０に示されているスペック指示情報ｎｓが当該遊技機１のスペックを示すものであるか否かの判別（以下、スペック一致判別ともいう）をすることができる。
【００３０】
つまり、スペック印刷シール６０に示されているスペック指示情報ｎｓを用いてスペック一致判別を行う必要がなくなる。したがって、スペック印刷シール６０に示されているスペック指示情報ｎｓの数が多くなった場合であっても、スペック一致判別を容易に行うことができる。これにより、スペック印刷シール６０を遊技機に取り付ける際の間違いを抑制することができる。さらに、スペック判別情報７０が、円周方向ＣＤについてのスペック印刷シール６０の端部を指し示すか否かのみによって、スペック一致判別を行うことができるので、多くのスペック指示情報ｎｓを用いて照合を行う場合と比較して、スペック一致判別に要する時間を短縮することができる。
【００３１】
また、スペック印刷シール６０の貼付間違いが発生した場合であっても、スペック判別情報７０が、円周方向ＣＤについてのスペック印刷シール６０の端部を指し示すか否かのみによって、スペック一致判別を行うことができるので、スペック印刷シール６０の貼付間違いを発見し易くなる。
【００３２】
また、スペックに関する軽微な変更を行った場合には、スペック印刷シール６０に示されたスペック指示情報ｎｓを修正する必要があるが、スペック印刷シール６０の円周方向ＣＤに沿った長さを変更する必要がないので、スペック判別情報７０を変更する必要がない。つまり、スペック印刷シール６０の記載を変更するのみであり遊技機１本体の変更は不要であるので、遊技機１の開発コストを低減することができる。
【００３３】
また、スペック印刷シール６０は、スペック印刷シール６０に示されたスペック指示情報ｎｓに応じて異なる形状で形成されているので、スペックを識別するための情報（例えば、図形）をスペック印刷シール６０に記載する手間を省略することができる。
【００３４】
また、シール貼付部１６は遊技機１から着脱可能であるので、スペック印刷シール６０の貼付間違いが発生した場合であっても、シール貼付部１６を交換することで、正しいスペック印刷シール６０を遊技機１に貼付することができる。
【００３５】
以上説明した実施形態において、印刷シール６０ａ，６０ｂ，６０ｃの円周方向ＣＤに沿った長さは本発明におけるスペック識別情報、スペック印刷シール６０は本発明におけるスペック指示部材、シール貼付部１６は本発明における指示部材取付部、判別情報記載部１７は本発明における判別情報指示部、円周方向ＣＤは本発明におけるスペック識別方向である。
【００３６】
（第２実施形態）
以下に本発明の第２実施形態について図面とともに説明する。尚、第２実施形態では、第１実施形態と異なる部分のみを説明する。
【００３７】
第２実施形態の遊技機１は、スペック印刷シール６０の代わりにスペック印刷シール６１が用いられる点と、スペック判別情報７０が変更される点以外は第１実施形態と同じである。
【００３８】
すなわちスペック印刷シール６１は、図４（ａ），（ｂ），（ｃ）に示すように、遊技機１のスペックに応じて複数種類（本実施形態では、スペック印刷シール６１ａ，６１ｂ，６１ｃの３種類）設けられている。
【００３９】
またスペック印刷シール６１ａ，６１ｂ，６１ｃは、その印刷面の円周方向ＣＤ（図２（ａ）を参照）に沿った長さが同じである。そしてスペック印刷シール６１ａ，６１ｂ，６１ｃの印刷面には、それぞれ異なる図形Ｆａ，Ｆｂ，Ｆｃが記載されている。なお本実施形態では、図形Ｆａ，Ｆｂ，Ｆｃはそれぞれ「丸」、「四角」、「三角」である。
【００４０】
さらにスペック判別情報７０は、図形Ｆａ，Ｆｂ，Ｆｃの何れかに対応した図形である。本実施形態では、図形Ｆａ，Ｆｂ，Ｆｃに対応した図形として、それぞれ「丸」、「四角」、「三角」が用いられる。例えば図５に示すように、スペック印刷シール６１ａに記載されたスペックを有する遊技機１の判別情報記載部１７には、スペック判別情報７０として、スペック印刷シール６１ａに記載された図形Ｆａと同一である「丸」の図形が記載される。
【００４１】
このように構成された遊技機１では、スペック印刷シール６１に示された図形Ｆａ，Ｆｂ，Ｆｃと、判別情報記載部１７に示された図形とを照合するのみでスペック一致判別を行うことができるので、スペック一致判別を容易にすることができる。
【００４２】
以上説明した実施形態において、図形Ｆａ，Ｆｂ，Ｆｃは本発明におけるスペック識別用図形である。
（第３実施形態）
以下に本発明の第３実施形態について図面とともに説明する。尚、第３実施形態では、第１実施形態と異なる部分のみを説明する。
【００４３】
第３実施形態の遊技機１は、スペック印刷シール６０の代わりにスペック印刷シール６２が用いられる点と、シール貼付部１６の構成と判別情報記載部１７の設置箇所とスペック判別情報７０が変更される点以外は第１実施形態と同じである。
【００４４】
すなわちスペック印刷シール６２は、図６（ａ），（ｂ），（ｃ）に示すように、遊技機１のスペックに応じて複数種類（本実施形態では、スペック印刷シール６２ａ，６２ｂ，６２ｃの３種類）設けられている。
【００４５】
またスペック印刷シール６２ａ，６２ｂ，６２ｃは、その印刷面の円周方向ＣＤ（図２（ａ）を参照）に沿った長さが同じである。そしてスペック印刷シール６２ａ，６２ｂ，６２ｃの印刷面は、それぞれ異なる色彩Ｃａ，Ｃｂ，Ｃｃが付けられている。なお本実施形態では、色彩Ｃａ，Ｃｂ，Ｃｃはそれぞれ「青」、「赤」、「緑」である。
【００４６】
また第４実施形態の判別情報記載部１７は、図７（ａ）に示すように、遊技盤４の面上において、発射通路ＳＰとなる領域で且つシール貼付部１６と対向する箇所に設けられている。
【００４７】
さらに判別情報記載部１７は、色彩Ｃａ，Ｃｂ，Ｃｃの何れかに対応した色彩である。本実施形態では、色彩Ｃａ，Ｃｂ，Ｃｃに対応した色彩として、それぞれ「青」、「赤」、「緑」が用いられる。例えば、スペック印刷シール６２ａに記載されたスペックを有する遊技機１の判別情報記載部１７には、スペック判別情報７０として、スペック印刷シール６１ａに記載された色彩Ｃａと同一である「青」の色彩が付けられる。
【００４８】
またシール貼付部１６は、図７（ａ），（ｂ）に示すように、判別情報記載部１７と対向する箇所に窓部１６ｂが形成されている。これにより、遊技機１の表側から窓部１６ｂを通してスペック判別情報７０を視認することができる。
【００４９】
このように構成された遊技機１では、スペック印刷シール６２に示された色彩Ｃａ，Ｃｂ，Ｃｃと、判別情報記載部１７に示された色彩とを照合するのみでスペック一致判別を行うことができるので、スペック一致判別を容易にすることができる。
【００５０】
また、判別情報記載部１７が２つのレール１５ａ，１５ｂとシール貼付部１６とにより囲まれるので、シール貼付部１６に設けられた窓部１６ｂを通してスペック判別情報７０を視認しようとしない限り、遊技機１の表側からスペック判別情報７０を視認し難くすることができる。これにより、スペック判別情報７０が示されていることにより遊技機１のデザイン性が損なわれるのを抑制することができる。なお、シール貼付部１６に設けられた窓部１６ｂを通してスペック判別情報７０を確認することができるので、上記のように遊技機１の表側からスペック判別情報７０を視認し難くなっても、スペック一致判別に支障をきたすことはない。
【００５１】
以上説明した実施形態において、色彩Ｃａ，Ｃｂ，Ｃｃは本発明におけるスペック識別用色彩、レール１５ａ，１５ｂは本発明における２つのレールである。
以上、本発明の一実施形態について説明したが、本発明は上記実施形態に限定されるものではなく、本発明の技術的範囲に属する限り種々の形態を採ることができる。
【００５２】
例えば上記第１実施形態において、スペック判別情報７０がスペック印刷シール６０の両端部を指し示すものを示した。しかし図８に示すように、スペック印刷シール６０は、その一端を、シール貼付部１６の一端部１６ａの近傍に揃えて貼付されるように取り決め、そして判別情報記載部１７は、スペック印刷シール６０の他端の位置を指し示す１つの矢印がスペック判別情報７０として記載されるように、仕切りレール１５ｂの近傍に設けられるようにしてもよい。
【００５３】
また上記実施形態において、遊技盤４の面上にスペック判別情報７０が記載されているものを示した。しかし、図９に示すように、遊技盤４の表面の全体がセルではなく液晶画面２１で形成されている場合には、液晶画面２１にスペック判別情報７０を表示させるようにしてもよい。
【００５４】
また上記実施形態において、発射レール１５にシール貼付部１６を設置するものを示した。しかし、シール貼付部１６の設置場所はこれに限られるものではなく、遊技機１で遊技している遊技者が遊技機１の表側から視認することができる領域であればよい。
【００５５】
また上記第２実施形態において、判別情報記載部１７に示された図形は、スペック印刷シール６１に示された図形Ｆａ，Ｆｂ，Ｆｃと同一であるものを示したが、図形Ｆａ，Ｆｂ，Ｆｃと対応関係が認められる図形であってもよい。同様に上記第３実施形態において、判別情報記載部１７に示された色彩は、スペック印刷シール６２に示された色彩Ｃａ，Ｃｂ，Ｃｃと同一であるものを示したが、色彩Ｃａ，Ｃｂ，Ｃｃと対応関係が認められる色彩であってもよい。
【図面の簡単な説明】
【００５６】
【図１】遊技機１の正面図である。
【図２】スペック印刷シール６０ａ，６０ｂ，６０ｃの正面図である。
【図３】第１実施形態のシール貼付部１６及び判別情報記載部１７の正面図である。
【図４】スペック印刷シール６１ａ，６１ｂ，６１ｃの正面図である。
【図５】第２実施形態のシール貼付部１６及び判別情報記載部１７の正面図である。
【図６】スペック印刷シール６２ａ，６２ｂ，６２ｃの正面図である。
【図７】第３実施形態のシール貼付部１６及び判別情報記載部１７の正面図および側面図である。
【図８】別の実施形態のシール貼付部１６及び判別情報記載部１７の正面図である。
【図９】液晶画面２１が設置された場合のシール貼付部１６及び判別情報記載部１７の正面図である。
【符号の説明】
【００５７】
１…遊技機、４…遊技盤、４ａ…遊技領域、１１…ＬＣＤ、１２…特別図柄保留ランプ、１３…始動入賞装置、１４…可動入賞装置、１５…発射レール、１５ａ…案内レール、１５ｂ…仕切りレール、１６…シール貼付部、１６ｂ…窓部、１７…判別情報記載部、２１…液晶画面、６０（６０ａ，６０ｂ，６０ｃ），６１（６１ａ，６１ｂ，６１ｃ），６２（６２ａ，６２ｂ，６２ｃ）…スペック印刷シール、７０…スペック判別情報、ＳＰ…発射通路、ｎｓ…スペック指示情報
【図１】
0005292932.tif 000002
【図２】
0005292932.tif 000003
【図３】
0005292932.tif 000004
【図４】
0005292932.tif 000005
【図５】
0005292932.tif 000006
【図８】
0005292932.tif 000007
【図９】
0005292932.tif 000008
【図６】
0005292932.tif 000009
【図７】
0005292932.tif 000010